(57)【要約】  【課題】  室内機を壁に取付けるときに冷媒配管等の状態を確認でき、容易に室内機を取付けられる空気調和機及び空気調和機の取付方法の提供。  【解決手段】  複数のビス６０を各ビス貫通孔２７及び４２に通し、上部枠２１を壁７に取付け、室内機１の裏面上部に形成された被係止部を上部枠２１の上部枠係止片２８に係止させ、室内機１を壁７へ向けて回動させる。このとき、作業者は室内機１に取付けられている下部枠２２と壁７との間隔から冷媒配管１１、１２及び各温水配管１３、１４の状態、これらの配管開口部６５での状態、ドレンパイプ６７のドレン開口６６での状態を確認しつつ、室内機１を回動させる。更に室内機１を回動させて下部枠２２の左右両部の下部嵌合片５７、５８を上部枠２１の左右両部の上部嵌合片３１、３２に当て、下部枠２２を上部枠２１に接続させた後、ビス７０、７０を下部枠側貫通孔５４、５５及び上部枠側貫通孔４６、４７に貫通させる。  【選択図】  図４
2006038327.tif 000002
【特許請求の範囲】
【請求項１】
枠体を介して室内の壁に取り付けられる室内機と、該室内機と冷媒配管にて接続された室外機とを備えた空気調和機において、前記枠体を前記壁へ取り付けられる取付板部と前記室内機の背面上部が係止する上係止部と左右両側板の下端に形成された上部嵌合部とを有する上部枠と、前記室内機の背面下部に係止する下係止部と左右両側板の上端に形成され前記上部嵌合部と嵌合する下部嵌合部とを有する下部枠とで構成し、前記室内機の背面下部に前記下部枠の下係止部を係止させた状態のこの室内機の背面上部を前記上部枠の上係止部に係止させて前記壁方向へこの室内機を回動させることにより前記上部嵌合部と下部嵌合部とを嵌合させることを特徴とする空気調和機。
【請求項２】
前記上部枠に上接続部を設けると共に前記下部枠に前記上接続部に対応して下接続部を設け、前記上部嵌合部と下部嵌合部とを嵌合させた後、前記上接続部と下接続部とを固定部材により固定することを特徴とする請求項１に記載された空気調和機。
【請求項３】
上部枠と下部枠とから成る枠体を介して室内の壁に取り付けられる室内機と、該室内機と冷媒配管にて接続された室外機とを備えた空気調和機の取付方法であって、
前記壁へ取り付けられる取付板部と前記室内機の背面上部が係止する上係止部と左右両側板の下端に形成された上部嵌合部とを有する前記上部枠の取付板部を前記壁に取り付け、
一方、前記室内機の背面下部に係止する下係止部と左右両側板の上端に形成され前記上部嵌合部と嵌合する下部嵌合部とを有する前記下部枠を前記室内機の背面下部に取り付け、
前記室内機の背面上部を前記上部枠の上係止部に係止させて前記壁方向へこの室内機を回動させ、
前記上部嵌合部と前記下部嵌合部とを嵌合させる
ことを特徴とする空気調和機の取付方法。
【請求項４】
前記上部嵌合部と下部嵌合部とを嵌合させた後、前記上部枠に設けられた前記上接続部と前記下部枠に前記上接続部に対応して設けられた下接続部とを固定部材により固定することを特徴とする請求項３に記載された空気調和機の取付方法。
【発明の詳細な説明】
【技術分野】
【０００１】
本発明は、枠体を介して壁に取り付けられる室内機と、該室内機と冷媒配管にて接続された室外機とを備えた空気調和機及び空気調和機の取付方法に関する。
【背景技術】
【０００２】
この種の空気調和機は、例えば特許文献１などに開示されており、室外機と共に空気調和機を構成する室内機は枠体を介して室内の壁に取り付けられる。
【０００３】
そして、部屋の壁に室内機を取り付けるときに背面カバーとして使用する枠体は、例えばロの字状に形成され、この枠体はその四辺を構成する側板を備えている。そして、空気調和機を設置するときには、室外機を戸外の適所に設置すると共に、室外機と室内機とを冷媒配管などにて接続する配管工事を行う。次に、室内機を室内の壁に取り付ける際には、枠体を予め壁の適所に、例えば複数本のビスにより取り付ける。その後、室内機をこの枠体に対向させ、室内機と冷媒配管などとの接続状態を確認しながら室内機を枠体方向に移動させ、室内機の背部の周縁を枠体に当接させ押し込み、複数本のビスにより室内機と枠体とを固定する。
【特許文献１】特許第２９１９７２１号公報
【発明の開示】
【発明が解決しようとする課題】
【０００４】
上記のように室内機を枠体に接続し固定するために、室内機を枠体に対向させてこの枠体に向け移動させるが、このとき、室内機の背面が枠体に近づき枠体との間隔が小さくなり、冷媒配管の工事状態、例えば室内機を移動させるときに室内機と共に移動する冷媒配管などの支持状態或いは壁に形成された配管の貫通孔との状態が確認できなった。
【０００５】
そこで本発明は、空気調和機の室内機を壁に取り付けるときに冷媒配管などの状態を確認でき、容易に室内機を取り付けることができる空気調和機及び空気調和機の取付方法を提供することを目的とする。
【課題を解決するための手段】
【０００６】
このため第１の発明は、枠体を介して室内の壁に取り付けられる室内機と、該室内機と冷媒配管にて接続された室外機とを備えた空気調和機において、前記枠体を前記壁へ取り付けられる取付板部と前記室内機の背面上部が係止する上係止部と左右両側板の下端に形成された上部嵌合部とを有する上部枠と、前記室内機の背面下部に係止する下係止部と左右両側板の上端に形成され前記上部嵌合部と嵌合する下部嵌合部とを有する下部枠とで構成し、前記室内機の背面下部に前記下部枠の下係止部を係止させた状態のこの室内機の背面上部を前記上部枠の上係止部に係止させて前記壁方向へこの室内機を回動させることにより前記上部嵌合部と下部嵌合部とを嵌合させることを特徴とする。
【０００７】
第２の発明は、第１の発明の空気調和機に係る発明において、前記上部枠に上接続部を設けると共に前記下部枠に前記上接続部に対応して下接続部を設け、前記上部嵌合部と下部嵌合部とを嵌合させた後、前記上接続部と下接続部とを固定部材により固定することを特徴とする。
【０００８】
第３の発明は、上部枠と下部枠とから成る枠体を介して室内の壁に取り付けられる室内機と、該室内機と冷媒配管にて接続された室外機とを備えた空気調和機の取付方法であって、
前記壁へ取り付けられる取付板部と前記室内機の背面上部が係止する上係止部と左右両側板の下端に形成された上部嵌合部とを有する前記上部枠の取付板部を前記壁に取り付け、
一方、前記室内機の背面下部に係止する下係止部と左右両側板の上端に形成され前記上部嵌合部と嵌合する下部嵌合部とを有する前記下部枠を前記室内機の背面下部に取り付け、
前記室内機の背面上部を前記上部枠の上係止部に係止させて前記壁方向へこの室内機を回動させ、
前記上部嵌合部と前記下部嵌合部とを嵌合させる
ことを特徴とする。
【０００９】
第４の発明は、第３の発明の空気調和機の取付方法に係る発明において、
前記上部嵌合部と下部嵌合部とを嵌合させた後、前記上部枠に設けられた前記上接続部と前記下部枠に前記上接続部に対応して設けられた下接続部とを固定部材により固定することを特徴とする。
【発明の効果】
【００１０】
本発明は、空気調和機の室内機を壁に取り付けるときに冷媒配管などの状態を確認でき、容易に室内機を取り付けることができる。
【発明を実施するための最良の形態】
【００１１】
以下、本発明の実施の形態を図面に基づき説明する。図１は本発明に係る空気調和機の室内機における側面の下部を切り欠いた側面図であり、以下説明する。先ず、１は室外機に冷媒配管にて接続される室内機であり、この室内機１は前部２と後部３とから成り、前部の前面には空気吸込口４が形成され、下部には吹出口５が形成され、室外機（図示せず）に配管接続される。６は前記後部３に固定された枠体であり、室内機１は枠体６を介して室内の壁７に据付られる。
【００１２】
また、１１及び１２は共に配管カバー１０により覆われた冷媒配管、１３及び１４は夫々入口側温水配管及び出口側温水配管である。そして、配管カバー１０（冷媒配管１１、１２）は後部３に設けられた断面コの字形状のスタンド１５に支持されている。また、入口側温水配管１３及び出口側温水配管１４は夫々枠体６に上下に間隔を存して設けられた断面Ｌ字状の配管押さえ１６、１７により支持されている。
【００１３】
以下、前記枠体６の構成について図２の枠体の斜視図に基づいて詳述する。枠体６は複数の金属板を例えば溶接して形成された上部枠２１と下部枠２２とから構成され、上部枠２１は壁７或いは壁７に取り付けられた取付用の板（図示せず）に取り付けられる取付板２３と、この取付板２３の左右両側縁及び上縁から折曲して延びた左右の側板２４、２５及び上板２６とから構成されている。取付板２３には上部枠２１を壁７などに取付けるための複数のビス貫通孔２７が形成されている。
【００１４】
また、前記上板２６には、折曲された先端が上方に向いた係止部である上部枠係止片２８、２８が形成されている。更に、左右の側板２４、２５の下端には、くの字状に折曲して下方に延び弾性を有した上部嵌合部である上部嵌合片３１、３２が対向し、且つその折曲部（頂点）３３、３４がそれぞれ外方向を向くように形成されている。
【００１５】
また、前記取付板２３は夫々間隔を存して例えば溶接により取り付けられた支持板３７、３８、３９と、これらの支持板３７、３８、３９の下端に例えば溶接により取り付けられた接続板４１とを備えている。各支持板３７、３８、３９には、複数の取り付け用のビス貫通孔４２が形成され、左側の支持板３７には上下に位置をずらして、前記配管押さえ１６、１７が形成されている。また、右側の支持板３９にはドレンパイプ６７の断面Ｌ字状の支持部４３が形成されている。接続板４１の左右両部には折曲して前方へ延びた接続部である接続片４４、４５が形成され、各接続片４４、４５には接続用ビスの上部枠側貫通孔４６、４７が形成されている。
【００１６】
一方、下部枠２２は、Ｌ字形状を呈し下板５１と左右の側板５２、５３とから構成され、下板５１の左右両部には上部枠２１の接続片４４、４５に形成された上部枠側貫通孔４６、４７に対向した接続用ビスの下部枠側貫通孔５４、５５が形成されている。また、下板５１の上縁には室内機１内の図示しないリブに対向した下部枠係止片５６、５６が形成されている。
【００１７】
更に、左右の側板５２、５３の上端には、上嵌合片３１、３２に対応し、且つくの字状に折曲して上方へ延び弾性を有した下部嵌合部である下部嵌合片５７、５８が対向し、且つその折曲部（頂点）６１、６２が上部嵌合片３１、３２の折曲部３３、３４と同様に外方向を向くように形成されている。また、下部枠２２の下板５１の複数箇所にはフランジ６３が形成されている。
【００１８】
なお、６５は壁７に予め形成した冷媒配管と温水配管との開口部（以下、「配管開口部」という）、６６は同じく壁７に予め形成したドレンパイプ６７の開口部（以下「ドレン開口部」という）である。
【００１９】
以下、室内機１の壁７への取付方法について説明する。まず、図３に示した如く、複数の取付用のビス６０を各ビス貫通孔２７及び４２に通し、上部枠２１を壁７に取り付ける。次に、下部枠２２の縁に形成されたフランジ６３を室内機１の内側に位置させると共に、室内機１の内部に設けられた図示しないリブに左右の下部枠係止片５６、５６を挟み込み、図４に図示した如く、室内機１の背面下部に下部枠２２を取り付ける。即ち、室内機１に下部枠２２を仮固定する。
【００２０】
更に、室内機１から延びたれ配管カバー１０（冷媒配管１１、１２）を配管開口部６５内に通すと共に、入口側温水配管１３及び出口側温水配管１４を夫々上部枠２１の配管押さえ１６、１７により支持させた状態にて配管開口部６５内に通す。また、ドレンパイプ６７をドレン開口部６６に通す。そして、室内機１を斜めにした状態にて、室内機１の裏面(背面)上部に形成された被係止部（図示せず）を上部枠２１の上部枠係止片２８に係止させ、室内機１をその上部にて上部枠２１に吊下げ支持させる。
【００２１】
その後、図４に矢印にて示したように、作業者は、室内機１を壁７へ向けて回動させる。このとき、入口側温水配管１３及び出口側温水配管１４を夫々上部枠２１の配管押さえ１６、１７により支持させると共に、ドレン開口部６６に通されたドレンパイプ６７を支持部４３に支持させる。そして、作業者は、予め室内機１に取り付けられている下部枠２２と壁７との間隔から室内機１から延びた配管カバー１０（冷媒配管１１、１２）及び各温水配管１３、１４の状態、配管カバー１０（冷媒配管１１、１２）及び各温水配管１３、１４の配管開口部６５での状態、またドレンパイプ６７のドレン開口６６での状態を確認しつつ、室内機１を上部枠係止片２８を支点として壁７へ向けて回動させる。
【００２２】
上述したように、作業者は、室内機１に取り付けられている下部枠２２と壁７との間隔から室内機１から延びた配管カバー１０（冷媒配管１１、１２）及び各温水配管１３、１４の状態、例えば支持状態、配管カバー１０（冷媒配管１１、１２）及び各温水配管１３、１４の配管開口部６５での状態、ドレンパイプ６７のドレン開口６６での状態を確認しつつ、室内機１を回動させることができ、配管カバー１０（冷媒配管１１、１２）、温水配管１３、１４或いはドレンパイプ６７などのよじれ、大きな折曲を回避することができ、また、作業性を向上させることが可能になる。
【００２３】
そして、更に室内機１を回動し、下部枠２２の左右両部の下部嵌合片５７、５８を上部枠２１の左右両部の上部嵌合片３１、３２に当て、図５及び図６に示した如く、下部嵌合片５７、５８を上部嵌合片３１、３２の外側に位置させ夫々を嵌合させながら室内機１を回動させることにより、下部枠２２が上部枠２１に接続される。このとき、図５に示した如く、下部枠２２の上部は室内機１に対して下部の室内機１との係止部を支点として僅かに回動し、ずれることが許容されるため、下部嵌合片５７、５８と上部嵌合片３１、３２との位置合わせを容易に行うことができる。
【００２４】
その後、図４に示した如く、固定部材であるビス７０、７０を下部枠側貫通孔５４、５５及び上部枠側貫通孔４６、４７に貫通させることにより、上記嵌合状態と併せ、下部枠２２が上部枠２１に確実に固定される。この結果、室内機１の下部が下部枠２２を介して上部枠２１に固体され、この上部枠２１を介して壁７に固定される。
【００２５】
以上のように、本発明は、室内機１を壁７に取り付けるときに、室内機１に予め取り付けられている下部枠２２と壁７との間隔から室内機１から延びた配管カバー１０（冷媒配管１１、１２）及び各温水配管１３、１４の状態、配管カバー１０（冷媒配管１１、１２）及び各温水配管１３、１４の配管開口部６５での状態、ドレンパイプ６７のドレン開口部６６での状態を確認することができ、この結果、作業性を向上させることができる。また、確認しながら室内機１を回動させることができ、配管カバー１０（冷媒配管１１、１２）、温水配管１３、１４或いはドレンパイプ６７などのよじれ、大きな折曲が発生している場合には、よじれ或いは折曲を除き、下部枠２２を上部枠２１に接続することができ、作業の信頼性を向上させることもできる。
【００２６】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００２７】
【図１】一部破断せる室内機及び枠体の側面図である。
【図２】上部枠及び下部枠の斜視図である。
【図３】上部枠の壁への取付状態を示す斜視図である。
【図４】室内機取付時の途中の状態を示す斜視図である。
【図５】室内機取付時の上部枠と下部枠との状態を示す側面図である。
【図６】上部嵌合片と下部嵌合片との嵌合状態を示す側面図である。
【符号の説明】
【００２８】
１              室内機
６              枠体
７              壁
１１、１２      冷媒配管
１３、１４      温水配管
２１            上部枠
２２            下部枠
２３            取付板
２４、２５      左右の側板
２６            上板
２８            上部枠係止片
３１、３２      上部嵌合片
５１            下板
５２、５３      左右の側板
５６            下部枠係止片
５７、５８      下部嵌合片
６０、７０      ビス（固定部材）
【図１】
2006038327.tif 000003
【図２】
2006038327.tif 000004
【図３】
2006038327.tif 000005
【図４】
2006038327.tif 000006
【図５】
2006038327.tif 000007
【図６】
2006038327.tif 000008